(57)【要約】本発明は、デジタル伝送システム内でデータストリームを伝送する方法に関するものであって、その場合にデータストリームが、互いに連続するＯＦＤＭシンボルを有する送信信号内で伝送され、その場合に幾つかのＯＦＤＭシンボルが、１つの伝送フレーム内にまとめられており、その場合に幾つかの伝送フレームが１つの伝送スーパーフレーム内で伝送され、その場合に各伝送スーパーフレームは、伝送スーパーフレームの定められた位置に１つまたは複数のＯＦＤＭシンボルを有する情報ブロックを有しており、その場合に第１のデータストリームを有する第１の送信信号（６）が第１のキャリア周波数領域内で、そして第１のデータストリームと同一の情報内容を有する第２のデータストリームを有する第２の送信信号が第２のキャリア周波数内で伝送され、その場合に第１の送信信号（６）の伝送スーパーフレームの期間が、第２の送信信号の伝送スーパーフレームの期間の整数倍である。【選択図】図２
2009509436.tif 000002
【特許請求の範囲】
【請求項１】
デジタル伝送システム内でデータストリームを伝送する方法であって、データストリームが互いに連続するＯＦＤＭシンボルを有する送信信号内で伝送され、
幾つかのＯＦＤＭシンボルが１つの伝送フレーム内にまとめられており、幾つかの伝送フレームが１つの伝送スーパーフレーム内で伝送され、
各伝送スーパーフレームが、伝送スーパーフレームの定められた位置に１つまたは複数のＯＦＤＭシンボルを備えた情報ブロックを有しており、
第１のデータストリームを有する第１の送信信号（６）が、第１のキャリア周波数領域内で伝送され、第１のデータストリームと同一の情報内容を有する第２のデータストリームを有する第２の送信信号（９）が、第２のキャリア周波数領域内で伝送され、
第１の送信信号（６）の伝送スーパーフレームの期間が、第２の送信信号（９）の伝送スーパーフレームの期間の整数倍である、デジタル伝送システム内でデータストリームを伝送する方法。
【請求項２】
第１の送信信号（６）の伝送スーパーフレーム内の情報ブロックが、第２の送信信号（９）の伝送スーパーフレームの情報ブロックの１つと、少なくとも一部時間的に重畳して同時に送信される、請求項１に記載の方法。
【請求項３】
第１の送信信号の伝送フレームの期間が、第２の送信信号の伝送フレームの期間のさらに整数倍である、請求項１または２に記載の方法。
【請求項４】
第２の送信信号（９）の伝送スーパーフレームの各情報ブロックに、交代情報が付加され、交代情報が、第２の送信信号（９）のどの情報ブロックにおいて第１の送信信号（６）の情報ブロックが時間的に重畳して送信されるか、を表示する、請求項１から３のいずれか１項に記載の方法。
【請求項５】
第２のキャリア周波数が第１のキャリア周波数よりも高く、チャネル評価を支援するために、第１と第２の送信信号（６、９）の伝送スーパーフレーム内にパイロット信号が設けられ、チャネル評価を実施するために、送信信号のチャネル特性に従って、伝送スーパーフレーム内の第２の送信信号（６、９）内のパイロット信号の所定の密度が必要であって、第２の送信信号のパイロット信号の密度が、第２の送信信号のパイロット信号の所定の密度に比較して高く選択される、請求項１から４のいずれか１項に記載の方法。
【請求項６】
２つの受信信号間で受信を切り替える方法であって、受信信号がＯＦＤＭシンボルを有しており、幾つかのＯＦＤＭシンボルが１つの伝送フレーム内にまとめられており、幾つかの伝送フレームが１つの伝送スーパーフレーム内で伝送され、
各伝送スーパーフレームが、伝送スーパーフレームの定められた位置に１つまたは複数のＯＦＤＭシンボルを有する情報ブロックを有しており、
第１の受信信号内、第２の受信信号（９）内で情報ブロックが伝送される時間領域の間に、第１の受信信号（６）の受信と第２の受信信号（９）の受信との間で切り替えられる、
２つの受信信号間で切り替える方法。
【請求項７】
第２の受信信号（９）の情報ブロック内で交代情報が受信され、その交代情報が、第２の伝送スーパーフレームのどの情報ブロックに対して同時に第１の伝送スーパーフレームの情報ブロックが送信されるか、を表示する、請求項６に記載の方法。
【請求項８】
受信信号（６、９）間の交代の直後に、第１と第２の受信信号（６、９）内に設けられた情報ブロック内に含まれるパイロット信号を用いて、チャネル評価が実施される、請求項６または７に記載の方法。
【請求項９】
受信信号を受信するためのデジタル伝送システム内の受信装置（３）であって、
選択的に第１のキャリア周波数領域内の第１の受信信号（６）と第２のキャリア周波数領域内の第２の受信信号（９）を受信する受信ユニット（１１）であって、受信信号（６、９）がＯＦＤＭシンボルを有しており、それぞれ幾つかのＯＦＤＭシンボルが１つの伝送フレーム内にまとめられており、幾つかの伝送フレームが１つの伝送スーパーフレーム内に含まれており、各伝送スーパーフレームが、伝送スーパーフレームの定められた位置に１つまたは複数のＯＦＤＭシンボルを備えた情報ブロックを有しており、
第１と第２の受信信号（６、９）の受信の間で切替えを実施する交代装置（１２）であって、交代装置（１２）は、ある時間領域の間に受信信号間で切替えを実施するように、構成されており、前記時間領域が、第１の受信信号内でも第２の受信信号内でも（６、９）情報ブロックが伝送されることによって定められている、
デジタル伝送システム内の受信装置。
【請求項１０】
第２の受信信号（９）内に含まれる交代情報を評価するための検出ユニット（１３）を有し、交代情報が少なくとも、第２の受信信号（９）のどの情報ブロックにおいて第１の受信信号の情報ブロックが少なくとも部分的に重畳して送信されるか、を表示し、検出ユニット（１３）は、２つの受信信号内で情報ブロックが伝送される間に、受信信号（６、９）間で交代を実施するために、交代装置を駆動する、請求項９に記載の受信装置（３）。
【請求項１１】
少なくとも、第１と第２の受信信号内に設けられている情報ブロック内に含まれるパイロット信号を用いてチャネル評価を実施するために、チャネル評価ユニットが設けられている、請求項９または１０に記載の受信装置（３）。
【請求項１２】
デジタル伝送システム内でデータストリームを伝送する送信装置（２）であって、データストリームが互いに連続するＯＦＤＭシンボルを有する送信信号内で伝送され、それぞれ幾つかのＯＦＤＭシンボルが１つの伝送フレーム内にまとめられており、幾つかの伝送フレームが１つの伝送スーパーフレーム内にまとめられており、伝送スーパーフレームが、伝送スーパーフレームの定められた位置に１つまたは複数のＯＦＤＭシンボルを有する情報ブロックを有し、
第１のキャリア周波数領域内で第１のデータストリームを伝送するための第１の送信ユニット（４）と、第２のキャリア周波数領域内で第２のデータストリームを伝送するための第２の送信ユニット（７）を有し、
第１と第２の送信ユニット（４、７）が、第１の送信信号（６）の伝送スーパーフレームの期間が第２の送信信号（９）の伝送スーパーフレームの期間の整数倍に調節されるように、互いに調整されており、
第１の送信信号（６）の伝送スーパーフレームと第２の送信信号（９）の伝送スーパーフレームの互いに対して、第１の送信信号の伝送スーパーフレームの情報ブロックと第２の送信信号（９）の伝送スーパーフレームの情報ブロックの少なくとも１つとが時間的に重なり合うように、補償するための、同期化ユニットを有する、送信装置。
【請求項１３】
第２の送信信号（９）内の情報ブロックに、第２の送信信号（９）のどの情報ブロックにおいて第１の送信信号（６）の情報ブロックが同時に送信されるか、を表示する交代情報を付加するために、変調ユニット（１０）が設けられている、
請求項１２に記載の送信装置（２）。
【請求項１４】
チャネル評価を実施するためにパイロット信号を第１と第２の送信信号（６、９）に付加するために、パイロット信号ユニットが設けられており、チャネル評価を実施するために、送信信号のチャネル特性に従って伝送スーパーフレーム内の送信信号（６、９）の情報ブロック内にパイロット信号の所定の密度が必要であって、パイロット信号ユニットは、第２の送信信号内に付加的なパイロット信号を付加するように構成されている、請求項１２または１３に記載の送信装置（２）。
【発明の詳細な説明】
【技術分野】
【０００１】
本発明は、デジタル伝送システム内、特にＤＲＭ伝送システム（ＤＲＭ：Digital
Radio Mondiale）内で、情報を伝送する方法に関する。本発明は、さらに、デジタル伝送システム内の異なるキャリア周波数上の２つの受信信号間で受信を切り替える方法に関する。本発明は、さらに、デジタル伝送システム内の受信装置およびデジタル伝送システム内で情報を伝送する送信装置に関する。
【背景技術】
【０００２】
デジタル伝送システムDigital Radio Mondiale（ＤＲＭシステム）は、全世界的なコンソーシアムによって３０ＭＨｚより下の周波数帯域のために開発され、２００１年に標準化された（ETSI TS 101980）。ＤＲＭシステムは、特に長波、中波および短波のための伝送技術と伝送パラメータによって設計されている。その間にも、システムをＶＨＦ帯域へ拡張するための努力がなされている。しかし、この拡張された周波数帯域内の伝播特性は、従来の周波数帯域の伝播特性から区別されなければならないので、効果的な伝送のためにシステムは拡張されなければならない。
【０００３】
ＤＲＭ伝送システムにおける重要な特徴は、代替周波数切替えである。代替周波数切替えというのは、第１のキャリア周波数上の送信信号から、第２のキャリア周波数上の送信信号に切り替えることである。この種の切替えは、たとえば、第１のキャリア周波数上で受信品質が悪化し、あるいは低く、かつ同じ情報内容のプログラムが他のキャリア周波数上で送信される場合に、実施される。この種の措置は、従来のアナログラジオ放送においても、ＦＭ−ＲＤＳとして知られている。
【０００４】
ＤＲＭシステムは通常、１つの時点でキャリア周波数上の１つの送信信号のみを受信してデコードすることだけができる、ワン受信器システムであるので、問題は、キャリア周波数間で、ラジオ受信の際に出力信号の可聴障害が生じないように、ないしは伝送されるデータストリームが実質的に隙間なしで受信されるように、切り替えることにある。
【０００５】
ＤＲＭシステムは、伝送方法として、従来技術から知られているＯＦＤＭ（Orthogonal
Frequency Division Multiplexing）を使用する。データの伝送は、次々と送信されるＯＦＤＭシンボルを用いて行われる。ＤＲＭシステムを拡張されたキャリア周波数に適合させる場合に、ＯＦＤＭシンボル長さを他のチャネル特性を用いて異なるように選択することが、重要である。従って、ＤＲＭシステムを他の伝送帯域内のキャリア周波数に拡張するために、新しいＯＦＤＭパラメータが定められる。たとえばＶＨＦ帯域におけるように、キャリア周波数が比較的高い場合に、たとえばシンボル長さはずっと短く選択される。従って所定の期間内により多くの数のＯＦＤＭシンボルが送信される。
【０００６】
ＯＦＤＭシンボルをデコードすることができるようにするために、この種の他のキャリア周波数へ切り替える場合に、新しいチャネル評価が必要である。というのは、送信信号のキャリア周波数上でのチャネル評価はそのまま続けることはできず、さらに切り替えられた他のキャリア周波数上での送信信号のためのアクチュアルなチャネル評価はまだ存在していないからである。
【発明の開示】
【発明が解決しようとする課題】
【０００７】
従って本発明の課題は、受信側で２つのキャリア周波数間で知覚できない、ないしは隙間のない切替えを可能にする、デジタル伝送システム内で情報を伝送する方法を提供することである。本発明の課題は、さらに、デジタル伝送システム内で２つの受信信号間で受信を切り替える方法を提供することである。本発明の課題は、さらに、送信信号間で受信の切替えを実施することができる、デジタル伝送システムのための受信装置を提供することである。本発明の課題は、さらに、異なるキャリア周波数上の２つの送信信号の受信の間で切り替える場合に、受信側でできるだけ知覚できない、ないしは隙間のない切替えを実施することを可能にする、送信装置を提供することである。
【課題を解決するための手段】
【０００８】
これらの課題は、請求項１に記載のデジタル伝送システム内で情報を伝送する方法、請求項６に記載の２つの受信信号間で受信を切り替える方法、請求項９に記載のデジタル伝送システムのための受信装置および請求項１２に記載のデジタル伝送システム内で情報を伝送する送信装置によって、解決される。
【０００９】
本発明の他の好ましい形態が、従属請求項に記載されている。
【００１０】
本発明の第１の観点に従って、デジタル伝送システム内でデータストリームを伝送する方法が設けられている。データストリームは、互いに連続するＯＦＤＭシンボルを有する送信信号内で伝送され、その場合に幾つかのＯＦＤＭシンボルが１つの伝送フレーム内にまとめられている。幾つかの伝送フレームが、１つの伝送スーパーフレームにまとめられ、その場合に各伝送スーパーフレームは、各伝送スーパーフレームの固定された箇所に１つまたは複数のＯＦＤＭシンボルを有する情報ブロックを有しており、その場合に第１のデータストリームを有する第１の送信信号が、第１のキャリア周波数領域内で、そして第１のデータストリームと同一の情報内容を有する第２のデータストリームを有する第２の送信信号が、第２のキャリア周波数領域内で伝送される。第１の送信信号の伝送スーパーフレームの期間は、第２の送信信号の伝送スーパーフレームの期間の整数倍である。
【００１１】
本発明に基づく方法は、異なるキャリア周波数上の送信信号の受信間で切り替える場合に、伝送されるデータストリーム内にできるだけ中断が発生しないことを、可能にする。
【００１２】
好ましくは、第１の送信信号の伝送スーパーフレームの情報ブロックは、第２の送信信号の伝送スーパーフレームの情報ブロックの１つと少なくとも部分的に時間的に重畳して送信される。これが、情報ブロックの間に送信信号間で受信を切り替えることを可能にする。
【００１３】
好ましい実施形態によれば、第２の送信信号の伝送スーパーフレームの情報ブロックの少なくとも１つに、交代情報が付加され、その交代情報は、第２の送信信号のどの情報ブロックにおいて第１の送信信号の情報ブロックが時間的に重畳して送信されるか、を表示する。
【００１４】
好ましい実施形態によれば、チャネル評価を支援するために、第１と第２の伝送スーパーフレーム内にパイロット信号を設けることができ、その場合に第２のキャリア周波数は第１のキャリア周波数よりも高く、その場合にチャネル評価を実施するためには、送信信号のチャネル特性に従って伝送スーパーフレーム内の送信信号内のパイロット信号の所定の密度が必要とされ、その場合に第２の送信信号のパイロット信号の密度は、第２の送信信号の伝送スーパーフレーム内のパイロット信号の所定の密度に比較して高く選択される。
【００１５】
本発明の他の観点によれば、２つの受信信号間で受信を切り替える方法が設けられており、その場合に受信信号はＯＦＤＭシンボルを有しており、その場合に幾つかのＯＦＤＭシンボルが１つの伝送フレーム内にまとめられており、その場合に幾つかの伝送フレームが１つの伝送スーパーフレーム内で伝送される。各伝送スーパーフレームは、伝送スーパーフレームの定められた位置に１つまたは複数のＯＦＤＭシンボルを有する情報ブロックを有しており、その場合に第１の受信信号内でも第２の受信信号内でも情報ブロックが伝送される時間領域の間に、第１の受信信号の受信と第２の受信信号の受信との間で切り替えられる。
【００１６】
本発明の他の観点によれば、デジタル伝送システム内に、受信信号を受信するために受信装置が設けられている。受信装置は、選択的に第１のキャリア周波数領域内の第１の受信信号と第２のキャリア周波数領域内の第２の受信信号を受信するための受信ユニットを有している。受信信号は、ＯＦＤＭシンボルを有しており、その場合にそれぞれ幾つかのＯＦＤＭシンボルが１つの伝送フレーム内にまとめられており、その場合に幾つかの伝送フレームが１つの伝送スーパーフレーム内に含まれている。各伝送スーパーフレームは、伝送スーパーフレームの定められた位置に１つまたは複数のＯＦＤＭシンボルを有する情報ブロックを有している。受信装置は、さらに、第１と第２の受信信号の受信の間で切替えを実施する交代装置を有しており、その場合に交代装置は、受信信号間の交代をある時間領域の間に実施するように構成されており、その場合に時間領域は、第１の受信信号内でも第２の受信信号内でも情報ブロックが伝送されることによって定められている。
【００１７】
好ましくは、第２の受信信号の情報ブロック内に含まれる交代情報を評価する検出ユニットが設けられており、その場合に交代情報は少なくとも、第２の受信信号のどの情報ブロックにおいて第１の受信信号の情報ブロックが、少なくとも部分的に重畳して送信されるか、を表示する。検出ユニットは、２つの受信信号内で情報ブロックが伝送される間に、受信信号間の切替えを実施するために、交代装置を駆動する。
【００１８】
他の実施形態によれば、少なくとも、第１と第２の受信信号内に設けられている情報ブロック内に含まれるパイロット信号を用いて、チャネル評価を実施するために、チャネル評価ユニットが設けられている。
【００１９】
本発明の他の観点によれば、デジタル伝送システム内でデータストリームを伝送するために送信装置が設けられている。送信信号内のデータストリームは、互いに連続するＯＦＤＭシンボルによって伝送され、その場合にそれぞれ幾つかのＯＦＤＭシンボルが１つの伝送フレーム内にまとめられており、その場合に幾つかの伝送フレームが１つの伝送スーパーフレーム内にまとめられており、その場合に伝送スーパーフレームは、伝送スーパーフレームの定められた箇所に１つまたは複数のＯＦＤＭシンボルを有する情報ブロックを有している。送信装置は、第１のキャリア周波数領域内で第１のデータストリームを伝送するための第１の送信ユニットと、第２のキャリア周波数領域内で第２のデータストリームを伝送する第２の送信ユニットを有している。第１と第２の送信ユニットは、互いに対して、第１の送信信号の伝送スーパーフレームの期間が、第２の送信信号の伝送スーパーフレームの期間の整数倍に調節されるように、調整されている。さらに、第１の送信信号の伝送スーパーフレームと第２の送信信号の伝送スーパーフレームを互いに対して補償し、それによって第１の送信信号の伝送スーパーフレームの情報ブロックが、第２の送信信号の伝送スーパーフレームの情報ブロックの少なくとも１つと時間的に重畳するようにするために、同期化ユニットが設けられている。
【００２０】
好ましくは、第２の送信信号内の情報ブロックに、第２の送信信号のどの情報ブロックにおいて同時に第１の伝送スーパーフレームの情報ブロックが送信されるか、を表す交代情報を付加するために、変調ユニットが設けられている。
【００２１】
本発明の好ましい実施形態によれば、チャネル評価を実施するためのパイロット信号を第１と第２の送信信号に付加するために、パイロット信号ユニットが設けられており、その場合に第２の送信信号の情報ブロック内のパイロット信号の密度は、第１の送信信号の情報ブロック内の、少なくともチャネル評価を実施するために必要とされるパイロット信号の密度に比較して高くされている。
【発明を実施するための最良の形態】
【００２２】
以下、本発明の好ましい実施形態を、添付の図面を用いて詳細に説明する。
【００２３】
図１には、送信装置２と受信装置３を備えたＤＲＭ伝送システム１が示されている。送信装置２は、第１の送信ユニット４を有しており、それによって第１のアンテナ５を介して第１のキャリア周波数領域内の第１の送信信号６が送信される。さらに、送信装置２は第２の送信ユニット７を有しており、それによって第２のアンテナ８を介して第２のキャリア周波数領域内の第２の送信信号９が送信される。
第１のキャリア周波数領域は、たとえば、長波、中波および／または短波のための周波数領域のいずれかにある。第２の周波数領域は、たとえば、ＶＨＦ帯域内にある。送信ユニット４、７は、共通に構築することができるが、場所的に互いに分離して存在することもできる。
【００２４】
受信装置３は、第１または第２の送信信号６、９をそれぞれの周波数領域内で受信するように構成されている。受信装置３は、いわゆるワン受信器−受信装置の形式で形成されており、すなわち受信装置３は、受信ユニット１１がそれぞれの送信信号のキャリア周波数に調節されることにより、第１または第２の送信信号６、９を受信するために、唯一の受信ユニット１１のみを有している。
【００２５】
ＤＲＭ伝送システムは、伝送方法としてＯＦＤＭ（Orthogonal
Frequency Division Multiplexing）を利用する。ＯＦＤＭにおいては、情報はそれぞれの送信信号内でデータストリームとして種々の連続するシンボル、いわゆるＯＦＤＭシンボル内で、幾つかのサブキャリア周波数上で伝送され、その場合に送信信号はＯＦＤＭシンボル内の情報を位相位置と振幅大きさによってコード化する。サブキャリア周波数は、キャリア周波数に従って所定の周波数間隔で調節されている。ＤＲＭ伝送システムにおいては、ＯＦＤＭシンボルはコヒーレントに伝送されるので、受信装置３内でチャネル評価が実施されなければならず、そのチャネル評価において個々のシンボルのサブキャリア周波数が求められる。これは通常、ＯＦＤＭ信号内にパイロット信号が埋め込まれ、そのパイロット信号が送信装置と受信装置に予め定められている位相と振幅を有し、それらを受信装置によって検出できることによって、行われる。
【００２６】
複数のＯＦＤＭシンボルが、１つの伝送フレームにまとめられる。スタンダードに記載されている４つの異なる伝送モードＡ、Ｂ、ＣおよびＤに応じて、伝送フレームは１５、１５、２０ないし２４のＯＦＤＭシンボルを有するので、それぞれ４００ｍｓのフレーム長さが生じる。
【００２７】
図２Ａ）には、例として、第１の送信信号６のフレーム構造が示されている。３つの伝送フレームが、１２００ｍｓの長さを有する伝送スーパーフレームにまとめられる。伝送スーパーフレーム内の伝送モードＡとＢ内の最初の２つのＯＦＤＭシンボル、ないしは伝送モードＣとＤ内の最初の３つのＯＦＤＭシンボルが、ＳＤＣブロックを形成する。各伝送スーパーフレームは、情報ブロックとしてＳＤＣブロック（ＳＤＣ：Service Description Channel）を有しており、それは送信信号のマルチプレクス構造に関する情報と、たとえばプログラムネームのような、他のプログラム情報を有している。送信装置３が、オーディオプログラムを再生するのに必要な情報を有するＳＤＣブロックをデコードする。ＳＤＣブロックが、各伝送スーパーフレームに付加される。ＳＤＣブロックの伝送後に、プログラムの本来のデータを有する、ＭＳＣブロック（ＭＳＣ：Main Service Channel）が続く。ＦＡＣブロック（ＦＡＣ：Fast
Access Channel）は、サービスＩＤのような、チューンプロセスにおいてプログラムを高速で発見するための情報を有している。
【００２８】
ＳＤＣブロックは、この実施例において、各伝送スーパーフレームの最初に情報ブロックとして設けられている。その中に含まれるデータは、送信信号内で通常連続的に同一の送信プログラムが伝送されるので、互いに合致する。従って受信装置はＳＤＣブロックのデコーディングを部分的に中断して、ＳＤＣブロックの期間の間に他の送信信号を受信するために切り替えることができる。たとえば、その場合に受信装置は、代替的な第２のキャリア周波数上の第２の送信信号の場強さを求めて、それによって第２の送信信号の信号品質を推定することができる。第２の送信信号６が、ＳＤＣブロック内に、受信周波数上の第１の送信信号と同一のデータを含んでおり、かつ２つの送信ユニット４、７が同期化ユニット１５によって互いに同期されている場合に、受信装置３は相関方法を介して、第２のキャリア周波数上の第２の送信信号９が同一のプログラムを有していることを、第２の送信信号９のＳＤＣブロックをデコードすることなしに、確認することができる。
【００２９】
たとえば、ＶＨＦ帯域のような、代替的な周波数帯域内のＤＲＭ送信信号を準備する場合に、ＤＲＭシステムは該当するキャリア周波数に調節されなければならない。すなわち、ＯＦＤＭシンボル長さは、チャネル特性が異なるために、これまで一般的なＯＦＤＭシンボル長さと異なるように選択される。従ってＤＲＭシステムを他のキャリア周波数帯域へ拡張するために、新しいＯＦＤＭパラメータが定められる。たとえば、より高いキャリア周波数においては、シンボル長さはずっと短く選択される。従って、より大きい数のＯＦＤＭシンボルが、伝送スーパーフレームに相当する。これが、図２Ｂ）に示されており、その場合に、拡張された周波数帯域内の送信信号においては、伝送スーパーフレームを伝送するための期間は、従来の周波数帯域の伝送スーパーフレームの期間（図２Ａ））の半分に相当する。
【００３０】
送信装置２は、同期化ユニット９を有しており、それが第１と第２の送信信号６、９を互いに対して次のように、すなわち第２の送信信号のＳＤＣブロック（情報ブロック）の少なくとも１つが、第１の送信信号６のＳＤＣブロックに対して同期して、すなわち時間的に等しく、ないしは時間的に重畳して送信されるように、同期させる。
【００３１】
それに加えて、伝送スーパーフレームの長さは、受信器内でより迅速にオーディオ再生を達成するために、より短く選択される。そのために複数の判断基準が守られる場合に、利点が得られる。伝送スーパーフレームの長さは、好ましくはほぼファクター１／ｎ（ｎ：整数）に定められるべきである。これは、ＤＲＭシステムを拡張するために、ｎ＝２、３、４などに従って、６００ｍｓ、４００ｍｓ、３００ｍｓの長さを意味する。それに基づいて、第１の送信信号６がＳＤＣブロックを有する箇所において、第２の送信信号９のＳＤＣブロックも送信される、という利点が得られる。これが、図２Ａ）と２Ｂ）に、重ねて示される第１の送信信号６と第２の送信信号９の伝送スーパーフレームによって明らかに示されており、その場合に第１の送信信号６の伝送スーパーフレームのＳＤＣブロックは、第２の送信信号９の伝送スーパーフレームのＳＤＣブロックに同期して送信される。従って、代替的なキャリア周波数を利用するために第１と第２の送信信号６、９の間で受信装置３を切り替えることが、容易にされる。付加的に、伝送フレームの長さが短縮される。長さは、伝送スーパーフレームに関して、好ましくは１／ｍ（ｍ：整数）である。
【００３２】
さらに、伝送スーパーフレームのためのカウンタ情報またはその他の交代情報を導入し、それによって受信装置が第２の送信信号９と第１の送信信号６の間で切り替える場合に、第２の送信信号のどのＳＤＣブロックにおいて同時に第１の送信信号６のＳＤＣブロックが送信されるか、を認識すると、有意義である。図２Ａ）と図２Ｂ）に示されている実施例において、切替えは各第２のＳＤＣブロックにおいて、すなわち第２の送信信号の各第２の伝送スーパーフレームにおいて可能となる。
【００３３】
交代情報、すなわちＳＤＣブロックのためのカウンタは、たとえば、送信装置２内に設けられている変調ユニット１０によって、第２の送信信号９のＳＤＣブロックに付加することができる。交代情報は、第２の送信信号のどのＳＤＣブロックに対して第１の送信信号のＳＤＣブロックが少なくとも部分的に重畳して送信されるか、を表示し、その場合に検出ユニット１３が交代装置１２を駆動するので、２つの送信信号内で情報ブロックが送信される場合に、送信信号間の切替えが実施される。このようにして、送信信号間の切替えが情報損失をもたらし、それが、ラジオ放送を受信しようとする場合に知覚可能になることを、回避することができる。
【００３４】
受信ユニット１１を有する受信装置３が、さらに、第１の送信信号６の受信から第２の送信信号９の受信へ交代させる、交代ユニット１２を有しており、その場合に送信信号６、９の受信間の交代は、第１の受信信号内でも第２の受信信号内でもＳＤＣブロック（情報ブロック）が伝送される時間領域の間に実施される。受信ユニット１１によって第１の送信信号６を受信する場合に、第２の送信信号内でいつＳＤＣブロックが送信されるか、を認識することができる。第２のキャリア周波数への交代を行おうとする場合に、交代装置は、第２の送信信号９を復調し、かつデコードするために、受信ユニット１１が第２の送信信号９に調節されるべきか、を求める。好ましくは、受信された送信信号のＳＤＣブロック内に含まれている、交代情報を検出して評価するために、検出ユニット１３が設けられている。
【００３５】
送信信号間で受信を切り替える場合に、切り替えられる送信信号を復調してデコードするために、新たなチャネル評価が実施されなければならない、必要がある。チャネル評価は、チャネル評価ユニット１４を用いて実施され、かつ通常は、ＯＦＤＭ信号内に所定の時間間隔とサブ周波数間隔で埋め込まれるパイロット信号を用いて行われる。これが、たとえば図３に、丸（０）を用いて示されている（ＯＦＤＭシンボルは、点（．）として示されている）。点は、データセル、すなわち有効データを有するＯＦＤＭシンボルのサブキャリアである。従ってＯＦＤＭシンボルは、水平方向における丸と点の列に相当する。ＯＦＤＭ送信信号内のパイロット信号の分布は、時間方向においても、それぞれ固定の周波数間隔を有するサブキャリア周波数の方向においても、規則的な間隔で行われる。データセルのためのチャネル評価は、既知の方法で補間によって求められる。チャネル評価する場合に、まず時間方向に補間され、次に周波数方向に補間される。時間方向における補間のためのサンプリング箇所の間隔は、例においては、３シンボルであって、次の補間においては周波数方向に２キャリアである。
【００３６】
ＯＦＤＭ方法においては、システム構想において、周波数方向および時間方向におけるパイロット信号密度を決定しなければならない。周波数方向におけるパイロット信号密度は、ＯＦＤＭシンボルの列の内部のパイロット信号の数を定める。時間方向におけるパイロット信号密度は、ＯＦＤＭサブキャリア周波数上のパイロット信号の数を定める。周波数方向におけるパイロット信号密度は、システム構想の際に、予測すべき遅延スペクトル、ラインスペクトルおよび密度スペクトルに従って、すなわちチャネルのマルチパス伝播条件に従って、明細化される。時間方向におけるパイロット信号密度は、予測すべきドップラーパワー密度スペクトルに従って、すなわちチャネルの最大のドップラー周波数に従って、明細化される。完全なチャネル評価のためには、時間方向と周波数方向において補間を実施しなければならない。チャネル評価は、受信装置内で送信信号の復調を実施することができるようにするための、基礎である。
【００３７】
異なるキャリア周波数上の他の送信信号の受信に切り替えることは、ＳＤＣブロック内の最初のＯＦＤＭシンボルが認識されないので、それに続くＯＦＤＭシンボルを受信する際に補間も実施できないことを、もたらすことがある。そのために、図４Ａと４Ｂに示すように、ＳＤＣブロックの内部および／または第１のＭＳＣシンボル内にシンボルのためのより大きいパイロット信号密度を設けることが、提案される。図４Ａには、３つの互いに連続するシンボル列を有するＳＤＣブロックが示されており、それらのシンボル列において他のパイロット信号が挿入されている。図４Ａと４Ｂにおいて、パイロット信号は塗りつぶした丸として、データセルは単なる丸として示されている。
【００３８】
図４Ａと４Ｂから明らかなように、使用されるダイアゴナルパイロット信号パターンにおいて、完全なチャネル評価を達成するために、Ｘｔ＝Ｇｔ＋Ｄｆ＋１（Ｇｔ：時間方向におけるパイロット信号の間隔；Ｄｆ＝周波数方向におけるパイロット信号の間隔）のＯＦＤＭシンボルが必要である。図４Ａと４Ｂの例において、Ｘｔ＝６が得られる。
【００３９】
個々のＯＦＤＭシンボル内に付加的なパイロット信号を使用することが提案される。目的は、短時間内に、すなわちわずかなＯＦＤＭシンボルによって、完全なチャネル評価を達成することである。代替的な（より高い）キャリア周波数へ切り替える場合に、図４Ａと４Ｂの例において、ＯＦＤＭシンボルNo.３が最初に受信されるシンボルであると、仮定する。最初の２つのシンボルは、第１の送信信号のキャリア周波数と第２の送信信号のキャリア周波数の信号の到達時間が異なるために、デコードできない。付加的に、受信装置内に設けられているＰＬＬ（Phase Locked Loop）が、周波数シフトのために所定の時間を必要とする。それぞれシンボルＮSTART＝３が最初に受信すべきシンボルである場合に、完全なチャネル評価を達成するために、図４Ａのパイロット分布においては５つ、図４Ｂのパイロット分布においては、４つのＯＦＤＭシンボルのみが必要とされる。付加的なパイロットは、以下の規則に従って付加される：
−ＯＦＤＭシンボルＮstart（この場合にはシンボルNo.３）またはＮstart＋１（この場合にはシンボルNo.４）内にパイロットを持たない、各Ｇｔサブキャリア（この場合にはＧｆ＝２）上の、ＳＤＣブロック内の最後のＯＦＤＭシンボル（この場合にはNo.３）に、付加的なパイロットが付加される。従って例において、付加的なパイロットは、各Ｇｆ＊Ｄｔサブキャリア上（この場合にはサブキャリアNo.３、９、１５、…上）のＯＦＤＭシンボルNo.３内に付加される。
−ＯＦＳＭシンボルＮstart（この場合にはシンボルNo.３）内にパイロットを持たない、各Ｇｆサブキャリア（この場合にはＧｆ＝２）上の、ＭＳＣの最初のＯＦＤＭシンボル（この場合にはシンボルNo.４）に、付加的なパイロットが付加される。従って例においては、付加的なパイロットはＯＦＤＭシンボルNo.４内に付加される（この場合にサブキャリアNo.１、３、７、９、…上）。
【００４０】
このようにして、代替的なキャリア周波数へ切替え後できる限り迅速にチャネル評価を行えることが、保証される。
【００４１】
一般的に、他の送信信号の最初にデコードすべきシンボルの幾つかのサブキャリア上で、付加的なパイロットが付加される。これは、代替的なキャリア周波数の送信信号へ切り替える場合にも、元のキャリア周波数の送信信号へ切り替えて戻す場合にも、必要である。付加的なパイロット信号は、少なくとも補間によってサブキャリア周波数を求めることができるように、パイロット信号が受信されない前に＊、サブキャリア周波数上でデータセルが送信されないように、分布されなければならない。
【００４２】
受信装置３には、変更されたパイロット信号パターンがわかっていなければならない。好ましくは、受信した送信信号を時間方向に補間するために、受信装置９内に付加的な補間フィルタが設けられている。図示の例において、Ｄｔ＝３である。しかし、図４Ａと４Ｂにおいては、多くのキャリア上でＤｔ＝２のパイロット間隔が生じる。
【図面の簡単な説明】
【００４３】
【図１】本発明の好ましい実施形態に基づく送信装置と受信装置を有するＤＲＭ伝送システムを示す図式的な表示である。
【図２】図２Ａ）と図２Ｂ）は、種々の周波数領域におけるＤＲＭ送信信号のフレーム構造を示す図式的な表示である。
【図３】ＯＦＤＭ送信信号内のパイロット信号の分布を示している。
【図４】図４Ａと４Ｂは、種々のキャリア周波数における送信信号内の伝送スーパーフレームの情報ブロック内のパイロット信号の分布を示している。
【図１】
2009509436.tif 000003
【図２】
2009509436.tif 000004
【図３】
2009509436.tif 000005
【図４】
2009509436.tif 000006
【国際調査報告】
2009509436.tif 000007
2009509436.tif 000008
2009509436.tif 000009
2009509436.tif 000010